(57)【要約】【課題】煩雑な操作を省略しつつユーザが閲覧を希望する画面を再表示することができる情報処理装置、画面表示方法およびプログラムを提供する。【解決手段】指定された項目のデータを表示する画面を操作表示部１２０に表示する表示制御部１０４と、データを表示する画面の登録を指示する第１登録指示、および、項目の最新のデータを表示する画面の登録を指示する第２登録指示のいずれかの選択を受け付ける入力制御部１０１と、第１登録指示の選択が受け付けられた場合に、データと、データを表示する画面を識別する第１ＩＤとを記憶部１１０に保存し、第２登録指示の選択が受け付けられた場合に、項目の最新のデータを表示する画面を識別する第２ＩＤを記憶部１１０に保存する登録部１０２と、を備えた。【選択図】図１
2012164160.tif 000002
【特許請求の範囲】
【請求項１】
指定された項目のデータを表示する画面を表示部に表示する表示制御部と、
前記表示部に表示されている前記データを表示する前記画面の登録を指示する第１登録指示、および、前記項目の最新のデータを表示する前記画面の登録を指示する第２登録指示のいずれかの選択を受け付ける第１受付部と、
前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録部と、
前記第１識別情報または前記第２識別情報の指定を受け付ける第２受付部と、
を備え、
前記表示制御部は、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、
を特徴とする情報処理装置。
【請求項２】
前記第１画面または前記第２画面は、階層構造を有する複数画面のうちの１つの画面であって、
前記登録部は、前記第１識別情報または前記第２識別情報に、前記第１画面または前記第２画面の上位階層の画面を識別する第３識別情報を含めること、
を特徴とする請求項１に記載の情報処理装置。
【請求項３】
指定された項目のデータを表示する画面を表示部に表示する表示制御ステップと、
前記表示部に表示されている前記データを表示する前記画面の登録を指示する第１登録指示、および、前記項目の最新のデータを表示する前記画面の登録を指示する第２登録指示のいずれかの選択を受け付ける第１受付ステップと、
前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録ステップと、
前記第１識別情報または前記第２識別情報の指定を受け付ける第２受付ステップと、
を含み、
前記表示制御ステップは、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、
を特徴とする画面表示方法。
【請求項４】
コンピュータを、
指定された項目のデータを表示する画面を表示部に表示する表示制御部と、
前記表示部に表示されている前記データを表示する前記画面の登録を指示する第１登録指示、および、前記項目の最新のデータを表示する前記画面の登録を指示する第２登録指示のいずれかの選択を受け付ける第１受付部と、
前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録部と、
前記第１識別情報または前記第２識別情報の指定を受け付ける第２受付部、
として機能させ、
前記表示制御部は、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、
を特徴とするプログラム。
【発明の詳細な説明】
【技術分野】
【０００１】
本発明は、情報処理装置、画面表示方法およびプログラムに関する。
【背景技術】
【０００２】
情報処理装置等が備える表示装置に、階層状態になった複数画面を呼び出し可能な表示画面を表示するシステムが知られている。ユーザは当該表示画面から閲覧または設定入力の目的となる画面を呼び出すことができる。例えば、このような操作画面は画像処理装置等にも備えられており、ユーザは操作画面から印刷設定画面を呼び出し、設定内容を入力する。
【０００３】
しかし、操作画面が備えられた装置において、操作対象となる機能の増加および高度化が進み、ユーザにとって操作画面から目的とする画面の呼び出しが煩雑となってきている。このような問題を解決する技術として、１つの画面上で、印刷結果を示すイメージを表示する画面と、条件設定を入力する画面とを分けて表示する印刷条件設定装置が開示されている（例えば、特許文献１参照。）。
【発明の概要】
【発明が解決しようとする課題】
【０００４】
しかしながら、情報処理装置は画像処理装置と比較して記憶するデータの種類は多種多様である。このため、情報処理装置の操作画面に表示する画面もまた多種多様となりメニュー画面からユーザが閲覧を希望する画面を表示するために画面を遷移させる回数が増大するという問題があった。
【０００５】
また、ユーザが閲覧を希望するファイルのデータが定期的に更新される場合には、ユーザが最新のデータの閲覧を希望する場合と、過去のある時点におけるデータの閲覧を希望する場合とがある。また、ユーザが過去に閲覧したデータの閲覧を希望する場合、更新される元データと別個に閲覧時のデータを保存する必要があり、この場合記憶領域におけるデータ量はさらに増大する。そして、データの種類が増大すると、ユーザが閲覧を希望する画面を再表示する際の操作が煩雑となる。
【０００６】
本発明は、上記に鑑みてなされたものであって、煩雑な操作を省略しつつユーザが閲覧を希望する画面を再表示することができる情報処理装置、画面表示方法およびプログラムを提供することを目的とする。
【課題を解決するための手段】
【０００７】
上述した課題を解決し、目的を達成するために、本発明にかかる情報処理装置は、指定された項目のデータを表示する画面を表示部に表示する表示制御部と、前記表示部に表示されている前記データを表示する前記画面の登録を指示する第１登録指示、および、前記項目の最新のデータを表示する前記画面の登録を指示する第２登録指示のいずれかの選択を受け付ける第１受付部と、前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録部と、前記第１識別情報または前記第２識別情報の指定を受け付ける第２受付部と、を備え、前記表示制御部は、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、を特徴とする。
【０００８】
また、本発明にかかる画面表示方法は、指定された項目のデータを表示する画面を表示部に表示する表示制御ステップと、前記表示部に表示されている前記データを表示する前記画面の登録を指示する第１登録指示、および、前記項目の最新のデータを表示する前記画面の登録を指示する第２登録指示のいずれかの選択を受け付ける第１受付ステップと、前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録ステップと、前記第１識別情報または前記第２識別情報の指定を受け付ける第２受付ステップと、を含み、前記表示制御ステップは、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、を特徴とする。
【０００９】
また、本発明にかかるプログラムは、コンピュータを、指定された項目のデータを表示する画面を表示部に表示する表示制御部と、前記表示部に表示されている前記データを表示する前記画面の登録を指示する第１登録指示、および、前記項目の最新のデータを表示する前記画面の登録を指示する第２登録指示のいずれかの選択を受け付ける第１受付部と、前記第１登録指示の選択が受け付けられた場合に、前記表示部に表示されている前記データと、保存した前記データを表示する前記画面を識別する第１識別情報とを記憶部に保存し、前記第２登録指示の選択が受け付けられた場合に、前記項目の最新のデータを表示する前記画面を識別する第２識別情報を前記記憶部に保存する登録部と、前記第１識別情報または前記第２識別情報の指定を受け付ける第２受付部、として機能させ、前記表示制御部は、前記第１識別情報の指定が受け付けられた場合に、前記記憶部に保存された前記データを表示する前記画面を前記表示部に表示し、前記第２識別情報の指定が受け付けられた場合に、前記項目の最新のデータを表示する前記画面を前記表示部に表示すること、を特徴とする。
【発明の効果】
【００１０】
本発明によれば、煩雑な操作を省略しつつユーザが閲覧を希望する画面を再表示することができるという効果を奏する。
【図面の簡単な説明】
【００１１】
【図１】図１は、本実施の形態にかかる情報処理装置の機能的構成を示すブロック図である。
【図２】図２は、入力制御部が受け付ける目的画面の選択操作の一例を示す図である。
【図３−１】図３−１は、第１画面のレポートの一例を示す図である。
【図３−２】図３−２は、第１画面のレポートの一例を示す図である。
【図４】図４は、情報処理装置によるお気に入り登録処理の手順を示すフローチャートである。
【図５】図５は、表示制御部によるお気に入りレポートの表示処理の手順を示すフローチャートである。
【図６】図６は、登録部によるお気に入りレポートの更新処理の手順を示すフローチャートである。
【図７】図７は、本実施の形態にかかる情報処理装置のハードウェア構成を示す説明図である。
【発明を実施するための形態】
【００１２】
以下に添付図面を参照して、この発明にかかる情報処理装置の最良な実施の形態を詳細に説明する。図１は、本実施の形態にかかる情報処理装置の機能的構成を示すブロック図である。図１に示すように、情報処理装置１００は、ネットワーク１５０により外部装置２００と接続されており、入力制御部１０１と、登録部１０２と、取得部１０３と、表示制御部１０４と、通信制御部１０５と、記憶部１１０と、操作表示部１２０とを主に備える。
【００１３】
入力制御部１０１は、操作表示部１２０に表示された画面からユーザによる各種入力を受け付ける。例えば、入力制御部１０１は、画面のお気に入り登録指示、および第１ＩＤまたは第２ＩＤのいずれかの選択を受け付ける第１受付部としての機能を有する。ここで、第１ＩＤとは、お気に入り登録指示を受け付けた際に操作表示部１２０に表示されている第１画面を識別するＩＤであり、第２ＩＤとは、操作表示部１２０に表示されている画面が最終に更新された情報を表示する第２画面を識別するＩＤのことである。例えば、ＩＤとして、ＵＲＬ（Ｕｎｉｆｏｒｍ  Ｒｅｓｏｕｒｃｅ  Ｌｏｃａｔｏｒ）等画面の保存先情報が用いられる。また、お気に入り登録指示とは、ユーザにより選択された画面ＩＤをユーザのお気に入りとして登録する指示のことである。
【００１４】
また、入力制御部１０１は、お気に入りレポートの一覧の中から、操作表示部１２０に表示する画面ＩＤの指定を受け付ける第２受付部としての機能を有する。ここで、お気に入りレポートとは、お気に入り登録指示により登録された画面ＩＤにより識別される画面に付与された名称のことである。
【００１５】
ここで、入力制御部１０１が受け付ける目的画面の選択操作について説明する。なお、目的画面とは、ユーザにより表示対象として指定される画面のことである。図２は、入力制御部１０１が受け付ける目的画面の選択操作の一例を示す図である。図２に示すように、入力制御部１０１は、まず、メニュー画面のお気に入りレポートから目的画面のレポートの選択を受け付ける。
【００１６】
次に、入力制御部１０１は、表示条件の選択を受け付ける。ここで、表示条件とは、複数の画面を含むメニュー画面から目的画面を特定するための条件である。例えば、レポートは階層構造を有した情報で構成され、階層構造としては図２の表示条件の選択画面が示すように、矢印の順に下位階層となる。図２では、商品の在庫（入庫、出庫、外出庫等）を可視化するツールとして、極を最上位階層とするカテゴリと、マシン／サプライを最上位階層とするカテゴリが分類されている。極を最上位階層とするカテゴリでは、国、会社が順次下位階層として構成されている。なお、極には、５大陸別に分類されたエリアが含まれる。また、マシン／サプライを最上位階層とするカテゴリでは、新品／中古、期間が下位階層として構成されている。
【００１７】
さらに、入力制御部１０１は、お気に入り登録指示とともに、再表示する際の目的画面の選択を受け付ける。再表示する際の目的画面としては、お気に入り登録指示を受け付けた際に表示されている第１画面、または画面の最新情報を表示する第２画面の２種類がある。例えば、入力制御部１０１は、情報処理装置１００に備えられたマウス（不図示）によるお気に入りレポートのワンクリック操作をユーザから受け付ける。
【００１８】
取得部１０３は、入力制御部１０１により第１ＩＤの指定入力が受け付けられた場合に、第１ＩＤにより識別される第１画面のデータを記憶部１１０から取得する。また、取得部１０３は、入力制御部１０１により第２ＩＤの指定入力が受け付けられた場合に、登録指示を受け付けた際に第２画面のデータが保存されている格納場所から第２画面のデータを取得する。ここで、第２画面のデータが保存されている格納場所は、記憶部１１０であってもよいし、ネットワーク１５０により接続された外部装置２００であってもよい。第２画面のデータが保存されている格納場所が外部装置２００である場合、取得部１０３は、通信制御部１０５を介して外部装置２００から第２画面のデータを取得する。
【００１９】
表示制御部１０４は、入力制御部１０１によりお気に入りレポートの一覧表示が指示されると、記憶部１１０に記憶されているお気に入りレポートの一覧を操作表示部１２０に表示する。また、表示制御部１０４は、入力制御部１０１により選択を受け付けた目的画面を操作表示部１２０に表示する。
【００２０】
例えば、表示制御部１０４は、入力制御部１０１によりお気に入りレポートから第１画面のレポートが選択された場合、取得部１０３により取得された第１ＩＤを用いて第１画面を操作表示部１２０に表示する。また、表示制御部１０４は、入力制御部１０１によりお気に入りレポートから第２画面のレポートが選択された場合、取得部１０３により取得された第２ＩＤを用いて、第２画面を操作表示部１２０に表示する。
【００２１】
また、表示制御部１０４は、入力制御部１０１によりお気に入りレポートの一覧を操作表示部１２０に表示する。また、表示制御部１０４は、操作表示部１２０に表示条件の選択画面を表示する。図２では、表示制御部１０４は、条件の選択肢として、マシン／サプライ、新品／中古、期間のそれぞれからレポートを選択可能に表示する。また、表示制御部１０４は、選択されたレポートが示す画面の画面ＩＤを表示指示するための表示ボタンを押下可能に表示する。
【００２２】
また、表示制御部１０４は、取得部１０３により取得された画面のデータをもとに操作表示部１２０に画面を表示する。例えば、表示制御部１０４は、入力制御部１０１により受け付けた表示条件の選択に従って、目的画面を操作表示部１２０に表示する。  
【００２３】
図２では、表示制御部１０４は、入力制御部１０１により受け付けた表示条件の選択に従って、最初の画面（Ａ）を表示し、次の画面（Ｂ）を表示し、次に目的画面（Ｃ）を表示する。
【００２４】
登録部１０２は、第１ＩＤの選択が受け付けられた場合に、第１画面のデータを記憶部１１０に保存する。また、登録部１０２は、お気に入り登録指示が受け付けられた場合に、第１ＩＤおよび第２ＩＤを記憶部１１０のお気に入り登録を記憶する領域に保存する。なお、登録部１０２は、第１ＩＤおよび第２ＩＤに、画面の詳細情報を対応付けて記憶部１１０に保存する。ここで、画面の詳細情報には、遷移先の画面のＵＲＬが含まれる。図２では、最初の画面（Ａ）のデータには、遷移先の画面（Ｂ）のＵＲＬが含まれ、次の画面（Ｂ）のデータには、遷移先の画面（Ｃ）のＵＲＬが含まれる。
【００２５】
また、登録部１０２は、入力制御部１０１により選択を受け付けた目的画面の画面ＩＤとして、上位の画面の画面ＩＤを継承した画面ＩＤを記憶部１１０に登録する。図２では、最初の画面（Ａ）の画面ＩＤは、表示条件の選択画面から選択されたＭＯＳ（マシン／サプライ）区分、新品中古区分、表示期間選択情報を含む。そこで、次の画面（Ｂ）の画面ＩＤは、上位の画面の画面ＩＤに含まれるＭＯＳ（マシン／サプライ）区分、新品中古区分、表示期間選択情報を引き継ぎ、これらに加えて極コードと、ＳＢＵを含む。また、目的画面（Ｃ）の画面ＩＤは、画面（Ｂ）の画面ＩＤに含まれるＭＯＳ（マシン／サプライ）区分、新品中古区分、表示期間選択情報、極コード、ＳＢＵを引き継ぎ、これらに加えて倉庫コードを含む。
【００２６】
記憶部１１０は、第１画面のデータ、レポート、画面ＩＤ、画面の詳細情報等を記憶する。図３−１および図３−２は、第１画面のレポートの一例を示す図である。図３−１では、月次データのレポートとして、カラムＩＤと、カラム名と、画面の型番やサイズ等を含む詳細情報が対応付けられている。例えば、Ｎｏ．１では、カラムＩＤ「ＣＡＬＣＵＬＡＴＥ＿ＳＴＡＮＤＡＲＤ  ＭＯＮＴＨ」と、カラム名「年月」等が対応付けられている。
【００２７】
また、図３−２では、日次データのレポートとして、カラムＩＤと、カラム名と、画面の型番やサイズ等を含む詳細情報が対応付けられている。図３−２では、地域・商品別在庫リスト内訳が分類された画面データの詳細が示されている。例えば、画面Ｎｏ．１では、カラムＩＤ「ＣＡＬＣＵＬＡＴＥ＿ＳＴＡＮＤＡＲＤ  ＤＡＴＥ」と、カラム名「算出基準日」等が対応付けられている。
【００２８】
通信制御部１０５は、ネットワーク１５０を介して外部装置２００や、ネットワーク１５０と接続された他の外部装置と通信し、各種情報を送受信する。
【００２９】
外部装置２００は、例えばサーバ等であり、通信制御部２０１と、記憶部２０２を主に備える。通信制御部２０１は、ネットワーク１５０を介して情報処理装置１００と通信し、各種情報を送受信する。記憶部２０２は、各種データを記憶する。例えば、記憶部２０２は、情報処理装置１００からのアクセスに応じて表示する各種画面のデータを記憶する。
【００３０】
次に、以上のように構成された情報処理装置１００によるお気に入り登録処理の手順について説明する。図４は、情報処理装置１００によるお気に入り登録処理の手順を示すフローチャートである。
【００３１】
表示制御部１０４は、メニュー画面を操作表示部１２０に表示する（ステップＳ１０１）。ここで、表示制御部１０４は、メニュー画面に複数のレポートを選択可能に表示する。入力制御部１０１は、ユーザによる操作表示部１２０からの表示条件の選択を受け付ける（ステップＳ１０２）。
【００３２】
表示制御部１０４は、入力制御部１０１により受け付けたレポートの画面を操作表示部１２０に表示する（ステップＳ１０３）。入力制御部１０１は、ユーザからお気に入り登録の指示を受け付ける（ステップＳ１０４）。ここで、入力制御部１０１は、お気に入り登録の対象となる画面と、当該画面を第１画面または第２画面として登録する指示を受け付ける。また、表示制御部１０４は、入力制御部１０１により受け付けた指示の確認画面を表示する。入力制御部１０１は、確認画面に表示された内容の確認（ＯＫ）またはキャンセル（ＮＧ）をユーザから受け付ける。
【００３３】
登録部１０２は、入力制御部１０１により確認（ＯＫ）が受け付けられたか否かを判断する（ステップＳ１０５）。登録部１０２は、入力制御部１０１により確認（ＯＫ）が受け付けられた場合（ステップＳ１０５：Ｙｅｓ）、ステップＳ１０４で入力制御部１０１により受け付けた内容を記憶部１１０に登録する（ステップＳ１０６）。
【００３４】
例えば、登録部１０２は、第１画面を登録する指示を受け付けた場合、第１画面のデータ、第１ＩＤを記憶部１１０に保存し、第２画面を登録する指示を受け付けた場合、第２ＩＤを記憶部１１０に保存する。なお、ステップＳ１０５で、登録部１０２は、入力制御部１０１によりキャンセル（ＮＧ）が受け付けられたと判断した場合（ステップＳ１０５：Ｎｏ）、ステップＳ１０２の処理に戻る。
【００３５】
次に、表示制御部１０４によるお気に入りレポートの表示処理の手順について説明する。図５は、表示制御部１０４によるお気に入りレポートの表示処理の手順を示すフローチャートである。
【００３６】
表示制御部１０４は、入力制御部１０１からお気に入りレポート一覧の表示指示を受け付けると、操作表示部１２０にお気に入りレポート一覧を表示する（ステップＳ２０１）。入力制御部１０１は、目的画面の選択を受け付ける（ステップＳ２０２）。表示制御部１０４は、入力制御部１０１により受け付けられた目的画面を操作表示部１２０に表示する（ステップＳ２０３）。
【００３７】
次に、登録部１０２によるお気に入りレポートを更新する更新処理の手順について説明する。図６は、登録部１０２によるお気に入りレポートの更新処理の手順を示すフローチャートである。
【００３８】
表示制御部１０４は、お気に入りレポート一覧を操作表示部１２０に表示する（ステップＳ３０１）。入力制御部１０１は、お気に入りレポートの更新指示を受け付ける（ステップＳ３０２）。表示制御部１０４は、記憶部１１０に保存されているお気に入りレポートを取得し、操作表示部１２０にお気に入りレポート一覧を表示する（ステップＳ３０３）。
【００３９】
入力制御部１０１は、ユーザから更新対象となるレポートの選択を受け付ける（ステップＳ３０４）。入力制御部１０１は、ユーザによるレポートの登録名を変更する処理の選択を受け付けたか否かを判断する（ステップＳ３０５）。
【００４０】
入力制御部１０１は、ユーザによりレポートの登録名を変更する処理の選択を受け付けたと判断した場合（ステップＳ３０５：Ｙｅｓ）、変更名称の入力を受け付ける（ステップＳ３０６）。表示制御部１０４は、入力された変更名称の確認（ＯＫ）またはキャンセル（ＮＧ）を受け付けるアイコンを表示する。ここで、入力制御部１０１は、変更名称の確認（ＯＫ）またはキャンセル（ＮＧ）を受け付ける。登録部１０２は、入力制御部１０１により確認（ＯＫ）が受け付けられたか否かを判断する（ステップＳ３０７）。
【００４１】
登録部１０２は、入力制御部１０１により確認（ＯＫ）が受け付けられたと判断した場合（ステップＳ３０７：Ｙｅｓ）、ステップＳ３０４で選択が受け付けられたレポートの登録名を入力制御部１０１により受け付けた変更名称に変更し、登録する（ステップＳ３０８）。一方、登録部１０２は、入力制御部１０１によりキャンセル（ＮＧ）が受け付けられたと判断した場合（ステップＳ３０７：Ｎｏ）、ステップＳ３０３に戻る。
【００４２】
ステップＳ３０５において、登録部１０２は、レポートの登録名を変更する処理の選択を受け付けなかったと判断した場合（ステップＳ３０５：Ｎｏ）、レポートを削除する処理の選択を受け付けたか否かを判断する（ステップＳ３０９）。登録部１０２は、入力制御部１０１によりレポートを削除する処理の選択を受け付けたと判断した場合（ステップＳ３０９：Ｙｅｓ）、削除の実行指示を受け付ける（ステップＳ３１０）。表示制御部１０４は、削除実行の確認（ＯＫ）またはキャンセル（ＮＧ）を受け付けるアイコンを表示する。ここで、入力制御部１０１は、削除実行の確認（ＯＫ）またはキャンセル（ＮＧ）を受け付ける。登録部１０２は、入力制御部１０１により確認（ＯＫ）が受け付けられたか否かを判断する（ステップＳ３１１）。
【００４３】
登録部１０２は、入力制御部１０１により確認（ＯＫ）が受け付けられたと判断した場合（ステップＳ３１１：Ｙｅｓ）、Ｓ３０４で選択が受け付けられたレポートを削除する（ステップＳ３１２）。一方、ステップＳ３０９において、入力制御部１０１は、入力制御部１０１によりレポートを削除する処理の選択を受け付けられなかったと判断した場合（ステップＳ３０９：Ｎｏ）、登録部１０２は削除処理を行うことなく処理を終了する。また、ステップＳ３１１において、登録部１０２は、入力制御部１０１によりキャンセル（ＮＧ）が受け付けられたと判断した場合（ステップＳ３１１：Ｎｏ）、ステップＳ３０３に戻る。
【００４４】
このように、本実施の形態によれば、目的画面の画面ＩＤを記憶部に保存し、保存した画面ＩＤを用いて目的画面を呼び出すので、煩雑な操作を省略しつつ、ユーザが閲覧を希望する画面を再表示することができる。
【００４５】
また、このように、新規画面をお気に入りレポートに登録する際に、登録時の画面（第１画面）を登録するか、最新画面（第２画面）を登録するかの選択をユーザから受け付けるので、ユーザは前回表示した画面を容易に継続して調査・分析することができる。
【００４６】
また、このように、第１画面または第２画面の画面ＩＤを記憶部に保存し、保存した画面ＩＤを用いて第１画面または第２画面を再表示するので、既存のビューワ、例えばＣＲＮ（Ｃｏｇｎｏｓ  ＲｅｐｏｒｔＮｅｔ（登録商標））等に共通に設定することができる。
【００４７】
次に、本実施の形態にかかる情報処理装置１００のハードウェア構成について図７を用いて説明する。図７は、本実施の形態にかかる情報処理装置１００のハードウェア構成を示す説明図である。
【００４８】
本実施の形態にかかる情報処理装置１００は、ＣＰＵ（Ｃｅｎｔｒａｌ  Ｐｒｏｃｅｓｓｉｎｇ  Ｕｎｉｔ）５１などの制御装置と、ＲＯＭ（Ｒｅａｄ  Ｏｎｌｙ  Ｍｅｍｏｒｙ）５２やＲＡＭ（Ｒａｎｄｏｍ  Ａｃｃｅｓｓ  Ｍｅｍｏｒｙ）５３などの記憶装置と、ネットワークに接続して通信を行う通信Ｉ／Ｆ５４と、ＨＤＤ（Ｈａｒｄ  Ｄｉｓｋ  Ｄｒｉｖｅ）、ＣＤ（Ｃｏｍｐａｃｔ  Ｄｉｓｃ）ドライブ装置などの外部記憶装置と、ディスプレイ装置などの表示装置と、キーボードやマウスなどの入力装置と、各部を接続するバス６１を備えており、通常のコンピュータを利用したハードウェア構成となっている。
【００４９】
本実施の形態にかかる情報処理装置１００で実行される登録プログラムは、インストール可能な形式又は実行可能な形式のファイルでＣＤ−ＲＯＭ（Ｃｏｍｐａｃｔ  Ｄｉｓｋ  Ｒｅａｄ  Ｏｎｌｙ  Ｍｅｍｏｒｙ）、フレキシブルディスク（ＦＤ）、ＣＤ−Ｒ（Ｃｏｍｐａｃｔ  Ｄｉｓｋ  Ｒｅｃｏｒｄａｂｌｅ）、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【００５０】
また、本実施の形態にかかる情報処理装置１００で実行される登録プログラムを、インターネット等のネットワークに接続されたコンピュータ上に格納し、ネットワーク経由でダウンロードさせることにより提供するように構成してもよい。また、第１または第２の実施の形態にかかる情報処理装置１００で実行される登録プログラムをインターネット等のネットワーク経由で提供または配布するように構成してもよい。
【００５１】
また、本実施の形態の登録プログラムを、ＲＯＭ等に予め組み込んで提供するように構成してもよい。
【００５２】
本実施の形態にかかる情報処理装置１００で実行される登録プログラムは、上述した各部（入力制御部、登録部、取得部、表示制御部、通信制御部）を含むモジュール構成となっており、実際のハードウェアとしてはＣＰＵ５１（プロセッサ）が上記記憶媒体から登録プログラムを読み出して実行することにより上記各部が主記憶装置上にロードされ、上述した各部が主記憶装置上に生成されるようになっている。
【符号の説明】
【００５３】
１００  情報処理装置
１０１  入力制御部
１０２  登録部
１０３  取得部
１０４  表示制御部
１０５、２０１  通信制御部
１１０、２０２  記憶部
２００  外部装置
【先行技術文献】
【特許文献】
【００５４】
【特許文献１】特許第３９４３８２９号公報
【図１】
2012164160.tif 000003
【図２】
2012164160.tif 000004
【図３−１】
2012164160.tif 000005
【図３−２】
2012164160.tif 000006
【図４】
2012164160.tif 000007
【図５】
2012164160.tif 000008
【図６】
2012164160.tif 000009
【図７】
2012164160.tif 000010